(57)【特許請求の範囲】
【請求項１】
発射球貯留部に貯留された遊技球を、発射装置にて遊技領域に発射して遊技を行う遊技機に組み付けられ、遊技球が１球ずつ通過可能な発射球供給孔を有し、前記発射球貯留部から取り込んだ遊技球を、前記発射装置が遊技球を発射する度に前記発射球供給孔を通して１つずつ発射装置に供給する発射球供給装置を備えた弾球遊技機であって、
前記発射球供給孔の内面又は開口縁に、不正用の操作線付き遊技球の操作線が前記発射球供給孔に通された状態で、その操作線付き遊技球が前記発射装置にて発射された場合に、前記操作線が奥部に向かって進入し、その操作線を切断可能又は、操作線に食い込んで捕捉可能或いは、前記操作線を切断可能及び捕捉可能にするための刃部を備えた略Ｖ字形の切込部を設けており、
縁部の少なくとも一部が刃状のエッジ部となるような切欠部が形成された切込部材を複数備え、
前記切欠部の一部が重なるように複数の前記切込部材を重ねると共に、各前記切欠部の前記刃状のエッジ部を略Ｖ字形に配置して、前記刃部を備えた略Ｖ字形の切込部を形成したことを特徴とする弾球遊技機。
【請求項２】
発射球貯留部に貯留された遊技球を、発射装置にて遊技領域に発射して遊技を行う遊技機に組み付けられ、遊技球が１球ずつ通過可能な発射球供給孔を有し、前記発射球貯留部から取り込んだ遊技球を、前記発射装置が遊技球を発射する度に前記発射球供給孔を通して１つずつ発射装置に供給する発射球供給装置を備えた弾球遊技機であって、
前記発射球供給孔の内面又は開口縁に、不正用の操作線付き遊技球の操作線が前記発射球供給孔に通された状態で、その操作線付き遊技球が前記発射装置にて発射された場合に、前記操作線が奥部に向かって進入し、その操作線を切断可能又は、操作線に食い込んで捕捉可能或いは、前記操作線を切断可能及び捕捉可能にするための刃部を備えた略Ｖ字形の切込部を設けており、
正規の遊技球の通過を許容し、正規の遊技球より大きな遊技球の通過を規制する検査孔を貫通形成して備えた切込部材が、前記検査孔と前記発射球供給孔とを重ねた状態にして取り付けられ、
縁部の少なくとも一部が刃状のエッジ部となるような切り込みが形成された別の切込部材を備え、
前記検査孔付きの切込部材における前記検査孔の内縁部にその内縁部の少なくとも一部が刃状のエッジ部となる切れ込みを形成し、
前記検査孔付きの切込部材と前記別の切込部材の各前記切り込みの一部が重なるように前記検査孔付きの切込部材に前記別の切込部材を重ねると共に、それら前記切り込みの前記刃状のエッジ部を略Ｖ字形に配置して、前記刃部を備えた略Ｖ字形の切込部を形成したことを特徴とする弾球遊技機。
【請求項３】
前記エッジ部を備えた前記複数の切込部材には、前記発射球供給孔の内面を構成する孔構成面が前記切込部の両側に形成され、それら孔構成面と前記切込部の内面との交差部分に湾曲した湾曲導入面を設けたことを特徴とする請求項１又は２に記載の弾球遊技機。
【請求項４】
前記発射球貯留部から前記弾球遊技機の前記発射球供給孔に至る遊技球の移動方向と、前記発射装置による遊技球の発射方向とが逆向きになるように前記発射球供給装置を配置したことを特徴とする請求項１乃至３の何れか１の請求項に記載の弾球遊技機。
【請求項５】
前記発射装置は、遊技球を打ち出すための打撃槌と前記打撃槌から上方に向かって延びた発射レールとを有し、遊技球は前記発射レールに沿ってその下端部から上方に向けて発射され、
前記切込部は前記発射レールの下端位置と上端位置との中間に配置されたことを特徴とする請求項１乃至４の何れか１の請求項に記載の弾球遊技機。
【請求項６】
前記切込部は、遊技球の発射方向の前方に向かうに従って徐々に幅狭になるように略Ｖ字形に形成されていることを特徴とする請求項１乃至５の何れか１の請求項に記載の弾球遊技機。
【発明の詳細な説明】
【技術分野】
【０００１】
本発明は、弾球遊技機に関する。
【背景技術】
【０００２】
従来の弾球遊技機として、発射装置によって遊技領域に打ち込まれた遊技球の一部が遊技領域を流下する途中で入賞口に入賞することで遊技者に利益を付与するものが知られている（例えば、特許文献１参照）。
【先行技術文献】
【特許文献】
【０００３】
【特許文献１】特開２００７−８９９０２号公報（段落［００４２］〜［００５０］）
【発明の概要】
【発明が解決しようとする課題】
【０００４】
ところで近年、遊技球に糸やピアノ線等の操作線を取り付けた操作線付き遊技球を、正規の遊技球と同様に発射装置によって遊技領域に打ち込んで、遊技機の外側から遊技領域内の操作線付き遊技球を操って不正に利益を獲得するという不正行為が頻発している。
【０００５】
本発明は、上記事情に鑑みてなされたもので、操作線付き遊技球による不正行為を抑制することが可能な弾球遊技機の提供を目的とする。
【課題を解決するための手段】
【０００６】
上記目的を達成するためになされた請求項１の発明に係る弾球遊技機は、発射球貯留部に貯留された遊技球を、発射装置にて遊技領域に発射して遊技を行う遊技機に組み付けられ、遊技球が１球ずつ通過可能な発射球供給孔を有し、発射球貯留部から取り込んだ遊技球を、発射装置が遊技球を発射する度に発射球供給孔を通して１つずつ発射装置に供給する発射球供給装置を備えた弾球遊技機であって、発射球供給孔の内面又は開口縁に、不正用の操作線付き遊技球の操作線が発射球供給孔に通された状態で、その操作線付き遊技球が発射装置にて発射された場合に、操作線が奥部に向かって進入し、その操作線を切断可能又は、操作線に食い込んで捕捉可能或いは、操作線を切断可能及び捕捉可能にするための刃部を備えた略Ｖ字形の切込部を設けており、縁部の少なくとも一部が刃状のエッジ部となるような切欠部が形成された切込部材を複数備え、切欠部の一部が重なるように複数の切込部材を重ねると共に、各切欠部の刃状のエッジ部を略Ｖ字形に配置して、刃部を備えた略Ｖ字形の切込部を形成したところに特徴を有する。
【０００７】
請求項２の発明は、発射球貯留部に貯留された遊技球を、発射装置にて遊技領域に発射して遊技を行う遊技機に組み付けられ、遊技球が１球ずつ通過可能な発射球供給孔を有し、発射球貯留部から取り込んだ遊技球を、発射装置が遊技球を発射する度に発射球供給孔を通して１つずつ発射装置に供給する発射球供給装置を備えた弾球遊技機であって、発射球供給孔の内面又は開口縁に、不正用の操作線付き遊技球の操作線が発射球供給孔に通された状態で、その操作線付き遊技球が発射装置にて発射された場合に、操作線が奥部に向かって進入し、その操作線を切断可能又は、操作線に食い込んで捕捉可能或いは、操作線を切断可能及び捕捉可能にするための刃部を備えた略Ｖ字形の切込部を設けており、正規の遊技球の通過を許容し、正規の遊技球より大きな遊技球の通過を規制する検査孔を貫通形成して備えた切込部材が、検査孔と発射球供給孔とを重ねた状態にして取り付けられ、縁部の少なくとも一部が刃状のエッジ部となるような切り込みが形成された別の切込部材を備え、検査孔付きの切込部材における検査孔の内縁部にその内縁部の少なくとも一部が刃状のエッジ部となる切れ込みを形成し、検査孔付きの切込部材と別の切込部材の各切り込みの一部が重なるように検査孔付きの切込部材に別の切込部材を重ねると共に、それら切り込みの刃状のエッジ部を略Ｖ字形に配置して、刃部を備えた略Ｖ字形の切込部を形成したところに特徴を有する。
【０００８】
請求項３の発明は、請求項１又は２に記載の弾球遊技機において、エッジ部を備えた複数の切込部材には、発射球供給孔の内面を構成する孔構成面が切込部の両側に形成され、それら孔構成面と切込部の内面との交差部分に湾曲した湾曲導入面を設けたところに特徴を有する。
【０００９】
請求項４の発明は、請求項１乃至３の何れか１の請求項に記載の弾球遊技機において、発射球貯留部から弾球遊技機の発射球供給孔に至る遊技球の移動方向と、発射装置による遊技球の発射方向とが逆向きになるように発射球供給装置を配置したところに特徴を有する。
【００１０】
請求項５の発明は、請求項１乃至４の何れか１の請求項に記載の弾球遊技機において、発射装置は、遊技球を打ち出すための打撃槌と打撃槌から上方に向かって延びた発射レールとを有し、遊技球は発射レールに沿ってその下端部から上方に向けて発射され、切込部は発射レールの下端位置と上端位置との中間に配置されたところに特徴を有する。
【００１１】
請求項６の発明は、請求項１乃至５の何れか１の請求項に記載の弾球遊技機において、切込部は、遊技球の発射方向の前方に向かうに従って徐々に幅狭になるように略Ｖ字形に形成されているところに特徴を有する。
【発明の効果】
【００１２】
［請求項１，２の発明］
請求項１，２の発明によれば、操作線付き遊技球が発射球供給孔を通って発射装置に供給され、発射装置によって発射された場合に、操作線を発射球供給孔の内面又は開口縁に設けた切込部に進入させて、その切込部における刃部にて操作線を切断したり捕捉したりすることができる。これにより、操作線付き遊技球によって不正に利益を獲得するという不正行為を抑制することができる。
【００１３】
しかも、請求項１の発明によれば、複数の切込部材のエッジ部を略Ｖ字形に配置することで切込部を形成することができ、比較的開き角度の小さい切込部を容易に形成することができる。
【００１４】
また、請求項２の発明によれば、操作線付き遊技球による不正行為を抑制すると共に、正規の遊技球より大きい遊技球の通過を規制することができる。これにより、不正に大きい遊技球を入賞部に詰まらせて不正に利益を獲得するといった不正行為を抑制することができる。
【００１５】
［請求項３の発明］
請求項３の発明によれば、操作線を切込部にスムーズに進入させることができる。  
【００１６】
［請求項４の発明］
請求項４の発明によれば、操作線付き遊技球が発射された場合に、操作線が切込部を備えた発射球供給孔の前後で折り返されるから、操作線に対して切込部の刃部をより深く食い込ませることができる。
【００１７】
［請求項５の発明］
請求項５の発明によれば、操作線付き遊技球が発射レールに沿って移動する途中で、操作線を切込部に進入させることができる。
【００１８】
［請求項６の発明］
請求項６の発明によれば、操作線を確実に切込部の奥まで進入させることができる。
【図面の簡単な説明】
【００１９】
【図１】本発明の第１実施形態に係る弾球遊技機の正面図
【図２】ガラス枠及び下皿付きカバーを開放した弾球遊技機の斜視図
【図３】戻り球回収ダクトの正面図
【図４】発射機構ユニットの斜視図
【図５】発射機構ユニットの正面図
【図６】発射球供給装置の内部構成を示す発射機構ユニットの正面図
【図７】従動部材を排除した発射球供給装置の内部構成を示す正面図
【図８】発射機構ユニットにおける遊技球の移動経路を示す概念図
【図９】発射機構ユニットの背面図
【図１０】発射球供給装置の内部を示す斜視図
【図１１】発射球供給装置の分解斜視図
【図１２】発射球供給装置の内部を示す正面図
【図１３】発射球供給装置の内部を示す正面図
【図１４】発射球供給装置の内部を示す正面図
【図１５】不正防止部材を取り付けた発射球供給孔の背面図
【図１６】（Ａ）不正防止部材及び１対の切込部材を取付面の反対面側から見た斜視図、（Ｂ）不正防止部材及び１対の切込部材を取付面側から見た斜視図
【図１７】（Ａ）切込部を取付面の反対面側から見た斜視図、（Ｂ）切込部を取付面側から見た斜視図
【図１８】操作線付き遊技球が打撃待機位置にセットされたときの発射球供給装置の背面斜視図
【図１９】操作線付き遊技球が発射された直後の発射球供給装置の背面斜視図
【図２０】操作線が切込部に進入したときの発射球供給装置の背面斜視図
【図２１】操作線を挟んだ切込部の斜視図
【図２２】第２実施形態に係る発射球供給装置の（Ａ）正面側斜視図、（Ｂ）背面側斜視図
【図２３】発射球供給装置の分解斜視図
【図２４】不正防止部材の分解斜視図
【図２５】第３実施形態に係る発射球供給装置の（Ａ）背面側斜視図、（Ｂ）正面側斜視図
【図２６】発射球供給装置の分解斜視図
【図２７】不正防止部材の分解斜視図
【図２８】切込部の斜視図
【図２９】参考形態に係る発射球供給装置の（Ａ）正面側斜視図、（Ｂ）背面側斜視図
【図３０】発射球供給装置の分解斜視図
【図３１】発射球供給装置の分解斜視図
【図３２】不正防止部材の分解斜視図
【図３３】切込部の斜視図
【図３４】切込部の正面図
【発明を実施するための形態】
【００２０】
［第１実施形態］
以下、本発明を適用した弾球遊技機１０（パチンコ遊技機、以下、「遊技機１０」という）に係る第１実施形態を、図１〜図２１に基づいて説明する。遊技機１０の遊技盤１１のうち、遊技者と対向する前面には、誘導レール１２で囲まれた遊技領域Ｒ１が設けられ、その遊技領域Ｒ１が遊技機１０の前面の窓９１Ｗを通して視認可能となっている。
【００２１】
遊技領域Ｒ１のほぼ中央部には、表示装置１３が設けられている。表示装置１３の下方には、始動入賞口１４、大入賞口１５及びアウト口１６が、上から順に間隔を開けて並べて設けられている。遊技領域Ｒ１のうち、表示装置１３の左右両側方には始動ゲート１８，１８及び風車１７，１７が備えられている。また、始動入賞口１４の左右両側には、複数の一般入賞口２０，２０が誘導レール１２に沿って設けられている。さらに、これら入賞口以外に、遊技領域Ｒ１には図示しない複数の釘が起立している。
【００２２】
遊技機１０の前面には窓９１Ｗに沿って装飾ランプ９７が設けられている。装飾ランプ９７は遊技機１０の前面側に膨出している。また、遊技機１０の上端両角部の奥にはスピーカ９８，９８が設けられている。
【００２３】
窓９１Ｗの下方には、上皿２７及び下皿２８が上下２段にして設けられている。これら上皿２７及び下皿２８は、遊技機１０の前方に膨出している。上皿２７の右側方には球抜きボタン２４が設けられ、球抜きボタン２４の下方には、球貸し操作ボタン２５と球貸し状態表示モニター２６とが並べて配置されている。球抜きボタン２４を押下すると、上皿２７の遊技球が下皿２８に排出される。
【００２４】
下皿２８の右側方には、球排出ボタン２９が設けられている。球排出ボタン２９を押下すると、下皿２８から遊技機１０の外部に遊技球を排出することができる。
【００２５】
遊技機１０の前面における右下角部には発射操作部３０が備えられている。発射操作部３０は、遊技機１０の前方に突出したノブ構造をなしている。この発射操作部３０を回動操作すると、上皿２７に貯留された遊技球が、後述する発射装置６１によって１球ずつ遊技領域Ｒ１に向けて弾き出され、それら遊技球が遊技領域Ｒ１を流下する。その遊技球が遊技領域Ｒ１を流下する途中で上記した各入賞口１４，１５，２０に入球すると、賞球として所定数の遊技球が上皿２７に払い出される。なお、上皿２７は、本発明の「発射球貯留部」に相当する。
【００２６】
以下、遊技盤１１の前面に備えた表示装置１３等について詳説する。表示装置１３は、液晶モジュール（詳細には、ＴＦＴ−ＬＣＤモジュール）で構成され、遊技盤１１の中央部に貫通形成された表示取付孔（図示せず）に対し、遊技盤１１の後面側から取り付けられている。また表示取付孔には、遊技盤１１の前面側から枠形構造の表示装飾枠２３が取り付けられ、その表示装飾枠２３によって表示装置１３の周囲が囲まれている。
【００２７】
始動ゲート１８，１８は、遊技球が潜って通過可能な門形構造をなし、通過した遊技球は、その始動ゲート１８に内蔵したゲートスイッチ（図示せず）によって検出される。この検出信号に基づいて当否判定が行われ、普通図柄表示部３８にて判定結果が表示される。
【００２８】
図１に示すように、普通図柄表示部３８は、表示装置１３の表示画面の一角部に設けられている。通常、普通図柄表示部３８には、普通図柄としての数字図柄（図示せず）が停止表示されている。
【００２９】
始動ゲート１８を遊技球が通過すると、普通図柄表示部３８の数字図柄が変動表示した後、停止表示する。このとき、当たりを意味する数字図柄（たとえば、奇数）が表示された場合には、始動入賞口１４が開放状態になって、遊技球が入賞し易い状態になる。また、普通図柄表示部３８が変動表示している間に始動ゲート１８を通過した遊技球は、所定数まで累積カウントされる。この累積カウント数（保留数）は、表示装飾枠２３に備えた保留数用ＬＥＤ３９の点灯数によって遊技者に報知される。
【００３０】
始動入賞口１４は、所謂、ポケット構造をなして上方に向かって開口している。始動入賞口１４の上面開口は遊技球を１つずつ受け入れ可能な大きさになっている。始動入賞口１４の上面開口の左右両側には可動翼１４Ｃ，１４Ｃが備えられている。これら両可動翼１４Ｃ，１４Ｃは、常には起立状態になっている。この起立状態では、始動入賞口１４への遊技球の入賞が規制される。
【００３１】
これに対し、始動ゲート１８への入賞による当否判定結果が当たりになると（普通図柄表示部３８で当たりを意味する数字図柄が停止表示すると）、始動入賞口１４が開放状態となる。即ち、始動入賞口１４に備えた可動翼１４Ｃ，１４Ｃが所定期間（例えば、０．５秒間）に亘って左右に倒れる。可動翼１４Ｃ，１４Ｃが左右に倒れると、その倒れた可動翼１４Ｃ，１４Ｃに案内されて遊技球が始動入賞口１４に入賞可能となる。
【００３２】
始動入賞口１４に遊技球が入賞すると、始動入賞口１４内に設けたセンサがその遊技球を検出し、その検出信号に基づいて、予め定められた所定数の遊技球（賞球）が上皿２７に払い出される。また、始動入賞口１４に遊技球が入賞すると、「大当たり遊技」を行うか否かを決定する当否判定の権利が発生し、その当否判定結果が表示装置１３にて表示される。
【００３３】
具体的には、表示装置１３には、通常、３つの特別図柄（図示せず）が横並びに表示されている。これら各特別図柄は、例えば、「０」〜「９」の数字を表記した複数種類のもので構成されており、通常は、各特別図柄ごと、所定の種類のものが停止表示されている。そして、始動入賞口１４に遊技球が入賞したときに、これら３つの特別図柄が、変動表示（上下方向にスクロール表示）され、所定時間後に、例えば、左、中、右の順で各特別図柄が停止表示される。このとき、例えば、全ての特別図柄が同じ図柄、即ち、ゾロ目になった場合に、遊技が通常の状態から大当たり遊技状態に移行する。
【００３４】
ここで、表示装置１３にて特別図柄が変動表示している最中又は「大当たり遊技」の最中に始動入賞口１４に入賞した遊技球の数は、所定の限度数まで累積カウント（保留）され、特別図柄が外れの図柄組み合わせで停止表示又は「大当たり遊技」が終了すると、その保留記憶に基づいて再び、特別図柄の変動表示が開始される。なお、累積カウント数（保留数）は、表示装飾枠２３に備えた保留数用ＬＥＤ３７の点灯数によって遊技者に報知される。
【００３５】
大入賞口１５は、遊技盤１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し（図１に示す状態）、可動扉１５Ｔをガイドにして大入賞口１５に遊技球が入賞可能になる。大入賞口１５に遊技球が入賞すると予め定められた所定数の遊技球（賞球）が上皿２７に払い出される。以上が、遊技盤１１の前面に関する説明である。
【００３６】
図２に示すように、遊技機１０は、遊技盤１１を保持した遊技機本体９０の前面に、ガラス枠扉９１及び下皿扉９２を開閉可能に備えている。同図に示すように、ガラス枠扉９１及び下皿扉９２は、遊技機本体９０の一側部（正面視左側部）にヒンジを介して連結されている。
【００３７】
ガラス枠扉９１には、ガラス板で塞がれた略円形の窓９１Ｗが設けられ、ガラス板越しに遊技領域Ｒ１を視認することができる。また、ガラス枠扉９１の前面のうち、窓９１Ｗより下側には、前記上皿２７が一体に設けられている。
【００３８】
下皿扉９２は、遊技機本体９０の前面のうちガラス枠扉９１の下方部分を覆っている。下皿扉９２の前面中央には、前記下皿２８が一体に設けられている。
【００３９】
下皿扉９２の上辺にガラス枠扉９１の下辺が前面側から重なるように配置されており、ガラス枠扉９１を開放しないと下皿扉９２が開かず、下皿扉９２を閉めないとガラス枠扉９１が閉まらない構造となっている。
【００４０】
ガラス枠扉９１と遊技機本体９０は、図示しない錠装置により閉止状態に施錠される。錠装置のうち施錠・解錠操作を行うための鍵穴８５は、遊技機本体９０の前面右下角部を覆った角部カバー９３の外面に露出しており、それ以外の錠装置全体は、ガラス枠扉９１及び遊技機本体９０によって覆われている。
【００４１】
図２に示すように、遊技機本体９０の前面の右下角部には、発射機構ユニット６０が設けられ、その左側方に戻り球回収ダクト４８が設けられている。図３に示すように、戻り球回収ダクト４８は、発射機構ユニット６０に備えた発射レール４０と誘導レール１２との間に配置されており、発射力が弱いために遊技領域Ｒ１まで到達せず、誘導レール１２を逆戻りした遊技球や、誘導レール１２まで到達しなかった遊技球を回収して下皿２８に排出するようになっている。
【００４２】
発射機構ユニット６０及び戻り球回収ダクト４８は、ガラス枠扉９１、下皿扉９２及び角部カバー９３によって前面から覆われている。そして、角部カバー９３から前方に突出した発射操作部３０と発射機構ユニット６０とが連結されており、発射操作部３０を回動操作することで、発射機構ユニット６０が作動するようになっている。
【００４３】
以下、発射機構ユニット６０について詳説する。発射機構ユニット６０は、図４及び図５に示すように発射球供給装置４２と発射装置６１とから構成され、発射装置６１のベース板６２に、発射球供給装置４２、発射レール４０、打撃槌６７、発射モータ６８等の種々の部品を組み付けて構成されている。ベース板６２は全体として縦長の略長方形であると共に、その下端部から右側方に向かって張出部６２Ａが張り出している。
【００４４】
図４に示すように、ベース板６２の前面の上寄り位置には発射レール４０が固定されている。発射レール４０はベース板６２の左端上寄り位置から右斜め下方に延びており、幅方向の中央がＶ字状に窪んで遊技球が１つ通過可能になっている。
【００４５】
発射レール４０の下端部（右端部）の上方には、球停止部材４１が取り付けられている。球停止部材４１は断面台形の角筒構造をなしている。球停止部材４１のうち発射レール４０側を向いた面は、発射レール４０の上面との間隔が斜め下方に向かうに従って徐々に狭くなるテーパー面４１Ｂとなっている。そして、テーパー面４１Ｂと発射レール４０の上面との間隔が最も狭くなった左下端部には打撃口４０Ｗが形成されている。発射レール４０上に遊技球が供給されると、遊技球は自重により発射レール４０の下端部に向かってテーパー面４１Ｂに当接し、打撃口４０Ｗの前方位置（打撃待機位置）にて停止する。
【００４６】
ベース板６２には、発射レール４０及び球停止部材４１をベース板６２との間で挟むようにして発射球供給装置４２が取り付けられている。図１０及び図１１に示すように、発射球供給装置４２はケース４４の内部に、従動部材４６と開閉部材４５とを収容している。この発射球供給装置４２によって、上皿２７に貯留された遊技球を発射レール４０上に１球ずつ供給することが可能となっている。
【００４７】
ケース４４は、ケース本体４４Ｂとケース蓋体４４Ｃとから構成されている。ケース本体４４Ｂは前面が開放して内部に開閉部材４５及び従動部材４６が取り付けられており、そのケース本体４４Ｂの前面開口がケース蓋体４４Ｃによって閉塞されている。なお、ケース蓋体４４Ｃはケース本体４４Ｂの一側部にヒンジを介して連結されている。
【００４８】
ケース本体４４Ｂは、ケース蓋体４４Ｃと前後方向で対向しかつベース板６２に平行なベース対向壁４４Ａを有し、そのベース対向壁４４Ａには遊技球が１つ通過可能な矩形状の発射球供給孔４４Ｇが貫通形成されている。図７に示すように、発射球供給孔４４Ｇは、発射レール４０における下端部（打撃口４０Ｗ）と上端部との中間位置に側方から臨んでおり、発射レール４０の中間位置に遊技球を流出させる（図８参照）。
【００４９】
図１０に示すように、ケース４４内には発射球供給孔４４Ｇの上部から発射レール４０と略平行に斜め上方に向かって遊技球供給路４４Ｈが延びている。遊技球供給路４４Ｈの上端部には、ケース蓋体４４Ｃを貫通して上皿２７と連絡した球入口４３Ａが設けられ、この球入口４３Ａを通って上皿２７に貯留された遊技球がケース４４内に自重で流入するようになっている。
【００５０】
遊技球供給路４４Ｈの下方には開閉部材４５が配置されている。開閉部材４５の上端には遊技球供給路４４Ｈの下面の一部をなす閉塞壁４５Ｈが形成され、下端はケース４４に回動可能に軸支されている。この開閉部材４５は常にはコイルバネ４５Ａによって遊技球供給路４４Ｈの下方を閉塞壁４５Ｈが塞ぐ方向に付勢されており、上記した球抜きボタン２４（図１参照）が押下されると、開閉部材４５はコイルバネ４５Ａの付勢に抗して回動し、遊技球供給路４４Ｈ内の遊技球が下皿２８へと繋がる遊技球排出路４４Ｋに流出するようになっている。
【００５１】
従動部材４６は全体として略扇形となっており、扇形の円心部分の端部には回動軸４６Ｊが設けられケース４４に回動可能に軸支されている。従動部材４６のうち扇形の周側の一部には遊技球が丁度１つ入る球受容部４６Ｃが陥没形成され、その上部には遊技球供給路４４Ｈの終端開口４４Ｘと対向可能な球当接壁４６Ｆが形成されている。また、従動部材４６のうち球受容部４６Ｃの下方には重り４６Ｄが内蔵され、その重り４６Ｄにより従動部材４６は下方に付勢されて、通常は、球当接壁４６Ｆを終端開口４４Ｘと対向させている。このとき、遊技球供給路４４Ｈ内の遊技球を、球当接壁４４Ｆに当接させて堰き止めることができる（図１２の状態）。
【００５２】
球受容部４６Ｃは、従動部材４６が上方へ回動したときに遊技球供給路４４Ｈの終端開口４４Ｘと連絡し、遊技球供給路４４Ｈ内の遊技球を１つ受容する（図１３参照）。球受容部４６Ｃに遊技球が受容されて従動部材４６が下方へ回動すると、球受容部４６Ｃは発射球供給孔４４Ｇと連絡し（図１４参照）、受容した遊技球を発射球供給孔４４Ｇを通して発射レール４０上に流出させる。つまり、従動部材４６が上下に一度回動して戻る度に遊技球が１つ発射レール４０上に供給される。
【００５３】
図１１に示すように、従動部材４６の球当接壁４６Ｆの上部からはカム摺接突部４６Ｂがベース板６２側に向かって突出している。カム摺接突部４６Ｂは、円柱体を縦割りに略２分割した形状をなし、その円弧面が下方に向けられている（図１８参照）。ベース対向壁４４Ａ及びベース板６２には、カム摺接突部４６Ｂの先端を挿通するためのカム連結孔４４Ｌ（図１１参照）及びカム連結窓６２Ｃ（図４参照）が貫通形成されており、カム摺接突部４６Ｂの先端はこれらカム連結孔４４Ｌ及びカム連結窓６２Ｃを通ってベース板６２の後方に突出している（図９参照）。
【００５４】
図４及び図５に示すように、ベース板６２のうち発射レール４０の右下端部の下方には、打撃槌６７が配置されている。打撃槌６７は、略帯板状の本体の先端から槌先端部６７Ｓを突出させた構造をなし、槌先端部６７Ｓには打撃スプリングが固定されている。槌先端部６７Ｓは、球停止部材４１と発射レール４０との間の打撃口４０Ｗに臨んでおり、打撃槌６７の基端寄り位置に一端を固定された回転軸６９が、図示しないベアリングによりベース板６２に回転可能に軸支されている。これにより、打撃槌６７が回動して、槌先端部６７Ｓが打撃口４０Ｗに進退可能となっている。
【００５５】
ベース板６２の前面のうち、打撃槌６７の側方位置には円柱形状をなした発射モータ６８が配設されており、回転軸６９と打撃口４０Ｗとの中間位置には、ストッパ６６が備えられている。このストッパ６６により、打撃槌６７が回動（打出）方向（図５における反時計回り方向）に対して回り過ぎないようになっている。
【００５６】
発射操作部３０を回動操作すると発射モータ６８が駆動され、打撃槌６７は、この発射モータ６８の駆動力を後述するカム機構を介して受けてストッパ６６に接離するように往復回動する。そして、打撃槌６７がストッパ６６に当接して打撃位置に移動すると、打撃槌６７の槌先端部６７Ｓが球停止部材４１と発射レール４０との間の打撃口４０Ｗに突入して、打撃待機位置の遊技球を弾く。これにより、遊技球が発射レール４０に沿って斜め上方に向けて発射される。
【００５７】
図９に示すように、ベース板６２の後面には、発射モータ６８の回転軸と一体回転するピニオンギヤ７６Ａが設けられている。ピニオンギヤ７６Ａの斜め上方にはアイドルギヤ７６Ｂが回転可能に軸支され、ピニオンギヤ７６Ａと嵌合している。アイドルギヤ７６Ｂとカム連結窓６２Ｃとの間には、球供給カムギヤ７６Ｄが回転可能に軸支され、アイドルギヤ７６Ｂに嵌合している。ピニオンギヤ７６Ａ、アイドルギヤ７６Ｂ、球供給カムギヤ７６Ｄは、発射モータ６８を駆動させると、それぞれが連動して一方向に回転する。
【００５８】
球供給カムギヤ７６Ｄは、ベース板６２側にアイドルギヤ７６Ｂと嵌合する歯車７６Ｄ１を備えると共に、その歯車７６Ｄ１の後方側（ベース板６２から離れた側）に一体形成させた球供給用カム７８を備えている。球供給用カム７８は、歯車７６Ｄ１の中心から回転方向に対して垂直に延びる平坦面と回転方向に対して半円状に膨出した円弧面とを有している。そして、この球供給用カム７８に、上述したカム摺接突部４６Ｂの先端が斜め上方から当接するようになっている。
【００５９】
そして、この球供給用カム７８の回動に伴い球供給用カム７８がカム摺接突部４６Ｂに当接したときには従動部材４６は上方に回動し、球供給用カム７８がカム摺接突部４６Ｂから離間したときには従動部材４６は下方に回動する。これにより、発射モータ６８を駆動すると、従動部材４６が上下に往復回動し、遊技球が１球ずつ発射レール４０上に供給される。
【００６０】
また、上記した打撃槌６７の回転軸６９は、ベース板６２の後面側に突出しており、その後端には弾発エレメント７１Ｅが備えられている。弾発エレメント７１Ｅは、ベース板６２の後面に敷設された回動リング７３と、回転軸６９の先端の回動キャップ７２との間に、ねじりバネ７１を挟んでなる。ねじりバネ７１は、回動キャップ７２又は回動リング７３から延びた図示しない筒部の周りに巻回されている。そして、ねじりバネ７１の一方の端部が回動キャップ７２に係止されかつ、他方の端部が回動リング７３に係止されている。また、回動リング７３は回転軸６９に対して回転可能である一方、回動キャップ７２は回転軸６９に一体回転可能に固定されている。
【００６１】
回動キャップ７２には、アイドルギヤ７６Ｂ側に張り出したトルクアーム７２Ａが備えられ、そのトルクアーム７２Ａの先端からベース板６２に向かって摺接ボス７２Ｂが突出している。そして、ベース板６２のうち弾発エレメント７１Ｅとアイドルギヤ７６Ｂとの間には打撃カムギヤ７６Ｃが設けられ、摺接ボス７２Ｂと摺接可能になっている。具体的には、打撃カムギヤ７６Ｃは、ベース板６２側にアイドルギヤ７６Ｂに嵌合する歯車７６Ｃ１を備えると共に、その後方側（ベース板６２から離れる側）に一体に形成された打撃用カム７７を備えている。そして、発射モータ６８を駆動させることで、ピニオンギヤ７６Ａ、アイドルギヤ７６Ｂ、打撃カムギヤ７６Ｃが連動して一方に回転するようになっている。
【００６２】
打撃用カム７７は、歯車７６Ｃ１の中心から回転方向に対して垂直に延びる平坦面と回転方向に対して半円状に膨出した円弧面とを有している。打撃カムギヤ７６Ｃが回転することで、打撃用カム７７の円弧面とトルクアーム７２Ａの摺接ボス７２Ｂとが摺接し、ねじりバネ７１に抗して回動キャップ７２が一方向に回転される。そして、打撃用カム７７の円弧面が摺接ボス７２Ｂを通過したときに、ねじりバネ７１の弾発力によって回動キャップ７２が逆方向に一気に回転する。これにより、回動キャップ７２と共に打撃槌６７が往復回動し、発射レール４０にセットされた遊技球と打撃槌６７とが打撃口４０Ｗにて衝突して、遊技球が遊技領域Ｒ１へ向かって弾き出される。
【００６３】
なお、打撃カムギヤ７６Ｃが一回転する間隔と球供給カムギヤ７６Ｄが一回転する間隔とは等しくなっているので、打撃槌６７が１回往復回動して遊技球を弾き出す間に、発射球供給装置４２は発射レール４０上に１個の遊技球を供給する。これにより、発射機構ユニット６０は連続して遊技球を発射し続けることが可能となっている。
【００６４】
打撃槌６７によって弾き出される遊技球の発射強度は、ねじりバネ７１の弾発力によって決まり、ねじりバネ７１の弾発力は、回動リング７３を回動キャップ７２に対して回動させることによって変更することができる。この回動リング７３を回動させるために、ベース板６２の張出部６２Ａには、発射操作部３０と一体回転可能な巻取盤７５が備えられている。
【００６５】
巻取盤７５は、断面略半円形状をなし、ベース板６２の張出部６２Ａに回動可能に取り付けられており、回動リング７３とワイヤ７２Ｗによって連結されている。そして、巻取盤７５の略半円形の円心部分には、発射操作部３０側へ突出したシャフト収容部７５Ａが一体形成され、その先端がベース板６２（張出部６２Ａ）を貫通して前方に突出している。
【００６６】
図４に示すように、ベース板６２のうち張出部６２Ａの前面には、シャフト収容部７５Ａの先端を内部に収容した筒形支柱６２Ｔが取り付けられている。筒形支柱６２Ｔの軸心部には軸孔６２Ｕが貫通形成されている。その軸孔６２Ｕには、発射操作部３０から後方に突出した回動シャフト（図示せず）が挿通されて、シャフト収容部７５Ａに一体回転可能に固定されている。これにより、発射操作部３０は巻取盤７５と一体に回動することが可能となっている。巻取盤７５は回動リング７３と連動しているので、発射操作部３０を回動操作することにより回動リング７３を回動させることができる。
【００６７】
発射操作部３０の回動角が大きくなるに従って、前記弾発エレメント７１Ｅに備えたねじりバネ７１の捻り量（弾発力）が大きくなり、遊技球の発射強度が大きくなる。つまり、発射操作部３０を回動操作することで、遊技球を任意の勢いで遊技領域Ｒ１に向けて発射させることができる。また、回動リング７３を回転させると、ねじりバネ７１の弾発力をうける。このため、発射操作部３０は、ねじりバネ７１の弾発力により前方から見て反時計回りに付勢されている。以上が、発射機構ユニット６０の説明である。
【００６８】
ところで、発射球供給装置４２には、遊技球に糸やピアノ線等の操作線Ｌ１を取り付けた「操作線付き遊技球」による不正行為を抑制するための不正防止構造が備えられている。以下、不正防止構造について詳説する。
【００６９】
図１８に示すように、発射球供給孔４４Ｇは、ベース対向壁４４Ａの後面からベース板６２に向かって突出した矩形状の囲壁４４Ｗを備えており、その囲壁４４Ｗに被せるようにして、不正防止部材５０が取り付けられている（図１５参照）。本実施形態において、不正防止部材５０は板金によって構成されている。
【００７０】
図１６に示すように、不正防止部材５０は、下辺が開放した門形構造をなしており、本発明の「切込部５４」が形成された主板部５１と、主板部５１の外縁部からベース対向壁４４Ａに向かって突出した複数（具体的には３つ）の固定板５２，５２とから構成されている。各固定板５２は、主板部５１の上辺及び左右の両側辺から張り出した突片をクランク状に直角曲げした形状であり、それら各固定板５２の先端がベース対向壁４４Ａの後面（ベース板６２との対向面）に宛がわれて、例えば、両面テープにより取り付けられている。なお、以下の説明において、「右」及び「左」とは、ベース対向壁４４Ａを後面側から見た場合（図１８参照）の「右」及び「左」という意味である。
【００７１】
不正防止部材５０の主板部５１は、コーナー張出部５３を備えている。コーナー張出部５３は、発射球供給孔４４Ｇの開口面のうち、発射レール４０に沿って斜め上方に発射された遊技球の発射方向前方の角部、具体的には、図１５に示すように、発射球供給孔４４Ｇの右上角部から内側に張り出しており、その右上角部から離れるに従って徐々に張り出しが小さくなっている（図７参照）。
【００７２】
コーナー張出部５３には切込部５４が形成されている。切込部５４は、遊技球の発射方向の前方に向かうに従って幅狭になったＶ字形（楔形）をなしている。そのＶ字形の切込部５４の開き角度は、鋭角（具体的には、３０〜４０度）であり、切り込みの深さは、例えば、２〜４ｍｍ程度となっている。また、図７に示すように、切込部５４は、発射レール４０の上端位置と下端位置との中間に配置されている。
【００７３】
さらに、コーナー張出部５３の内側面と切込部５４の内面との交差部分には、湾曲した湾曲導入面５３Ａ，５３Ａが形成されている。なお、コーナー張出部５３の内側面は、本発明の「孔構成面」に相当する。
【００７４】
これらコーナー張出部５３及び切込部５４は、図１６に示すように、薄い（例えば、０．５ｍｍ以下）複数（本実施形態では、１対）の切込部材５５，５６を重ねることで構成されており、各切込部材５５，５６は、例えば、打ち抜きプレス加工によってそれぞれ以下のような形状に成形されている。
【００７５】
第１の切込部材５５は、主板部５１を構成する主板部構成体５５Ａと１つの固定板５２とを一体に備えている。主板部構成体５５Ａは下辺が開放した門形をなすと共に、主板部構成体５５Ａの右上の角部には、Ｖ字形の第１の鋭角切欠部５５Ｖが形成されている。詳細には、主板部構成体５５Ａの上辺には、下方に向かって山形状に突出しかつ頂点が丸みを帯びた第１の山形凸部５５Ｂが形成され、その第１の山形凸部５５Ｂの一方の斜面５５Ｂ１と、主板部構成体５５Ａの右内側面５５Ｃとの間に第１の鋭角切欠部５５Ｖが形成されている。なお、第１の切込部材５５の上縁部には、固定板５２と同様に主板部構成体５５Ａに対して直角曲げされた位置決め片５５Ｄが備えられており、位置決め片５５Ｄと固定板５２とが第２の切込部材５６の外縁部に当接することで、第１と第２の切込部材５５，５６を互いに位置決め可能となっている。
【００７６】
第２の切込部材５６は、主板部５１を構成する主板部構成体５６Ａと２つの固定板５２，５２とを一定に備えている。主板部構成体５６Ａは下辺が開放した門形をなすと共に、主板部構成体５６Ａの右上の角部には、Ｖ字形の第２の鋭角切欠部５６Ｖが形成されている。詳細には、主板部構成体５６Ａの右側辺には、左側辺に向かって山形状に突出しかつ頂点が丸みを帯びた第２の山形凸部５６Ｂが形成され、その第２の山形凸部５６Ｂの一方の斜面５６Ｂ１と、主板部構成体５６Ａの上辺内面５６Ｃとの間に第２の鋭角切欠部５６Ｖが形成されている。なお、第２の鋭角切欠部５６Ｖの開き角度は、切込部５４より広角となっている。
【００７７】
第１の切込部材５５と第２の切込部材５６とを重ねて不正防止部材５０とすると、第１と第２の鋭角切欠部５５Ｖ，５６Ｖが少しずれた状態で一部が重なって、第１と第２の山形凸部５５Ｂ，５６Ｂで挟まれた部分に切込部５４が形成される。詳細には、図１７（Ａ）に示すように、第１と第２の山形凸部５５Ｂ，５６Ｂがコーナー張出部５３を形成すると共に、それら第１と第２の山形凸部５５Ｂ，５６Ｂにおける一方の斜面５５Ｂ１，５６Ｂ１同士が略Ｖ字形に配置されて切込部５４が形成される。なお、丸みを帯びた第１と第２の山形凸部５５Ｂ，５６Ｂの各頂点部分は、不正防止部材５０における湾曲導入面５３Ａ，５３Ａとなる。
【００７８】
そして、切込部５４は、操作線付き遊技球の操作線Ｌ１を受け入れ可能であると共に、切込部５４を形成する１対の斜面５５Ｂ１，５６Ｂ１における同一平面上のエッジ部５５Ｅ，５６Ｅ、詳細には、各切込部材５５，５６の内側端部の刃状部であって先端側に向かって傾斜がかかっている箇所（図１７（Ｂ）参照。本発明における「刃部」に相当する）にて操作線Ｌ１を挟むことが可能となっている。
【００７９】
次に本実施形態の動作を説明する。遊技機１０にて遊技を行う際には、発射操作部３０を回動操作する。すると、打撃用カム７７及び球供給用カム７８とそれらの摺動部品とからなるカム機構が作動し、発射球供給装置４２から発射レール４０上に１つずつ遊技球が供給される度に、その発射球供給装置４２に同期して打撃槌６７が打撃動作を行い、打撃槌６７の槌先端部６７Ｓが遊技球に衝突して遊技球が弾かれ、発射レール４０及び誘導レール１２によって遊技領域Ｒ１へと案内される。このとき、発射操作部３０の回動量を変更することで、遊技球の発射力を変更することができる。そして、遊技領域Ｒ１を流下する遊技球の各入賞口１４，１５，２０及び始動ゲート１８等への入球に応じて遊技が進行する。
【００８０】
さて、不正行為者によって上皿２７に投入された操作線付き遊技球Ｂ１は、他の正規の遊技球と同様に、上皿２７から発射球供給装置４２を経て発射レール４０へと供給され、発射レール４０の打撃待機位置にセットされる（図１８参照）。このとき、操作線Ｌ１は、発射球供給孔４４Ｇ、遊技球供給路４４Ｈ、球入口４３Ａを経て上皿２７に導出され、不正行為者によって保持されている。
【００８１】
この状態で、発射操作部３０が回動操作されると、操作線付き遊技球Ｂ１が打撃槌６７によって弾かれ、正規の遊技球と同様に発射レール４０に沿って斜め上方に発射される。このとき、操作線付き遊技球Ｂ１は、発射球供給孔４４Ｇの側方を通過し、操作線Ｌ１が発射球供給孔４４Ｇの右側辺にて折り返される。そして、図１９から図２０への変化に示すように、操作線付き遊技球Ｂ１が打撃待機位置から離れて上方に向かうに従って、操作線Ｌ１は、不正防止部材５０における第２の山形凸部５６Ｂに摺接しながら発射方向の前方に向かって幅狭になるように傾斜して形成された切込部５４へと近づき、ついには、傾斜に沿って切込部５４の奥部に向かって進入する。
【００８２】
そして、操作線付き遊技球Ｂ１が遊技領域Ｒ１に到達する前に、操作線Ｌ１が切込部５４の奥部に到達し、図２１に示すように、切込部５４における１対の斜面５５Ｂ１，５６Ｂ１のエッジ部５５Ｅ，５６Ｅに食い込まれて捕捉される。或いは、操作線Ｌ１がエッジ部５５Ｅ，５６Ｅによって切断される。
【００８３】
操作線Ｌ１が捕捉された場合、操作線付き遊技球Ｂ１は打撃待機位置に戻るか戻り球回収ダクト４８に入る。戻り球回収ダクト４８に入った操作線付き遊技球Ｂ１は、切込部５４による捕捉が解除されるまで下皿２８に出てくることはない。戻り球回収ダクト４８に入ったままの操作線付き遊技球Ｂ１を取り戻すために操作線Ｌ１を引っ張ると、エッジ部５５Ｅ，５６Ｅによる捕捉が解除されない限り、エッジ部５５Ｅ，５６Ｅが食い込んで操作線Ｌ１が切断される。
【００８４】
操作線Ｌ１が切断された場合、操作線付き遊技球Ｂ１は誘導レール１２の途中又は誘導レール１２の手前で失速して、発射レール４０の発射待機位置に戻るか、戻り球回収ダクト４８に回収される。仮に、操作線Ｌ１が途中で切断された操作線付き遊技球Ｂ１が、そそのまま遊技領域Ｒ１に進入したとしても、その操作線付き遊技球Ｂ１は不正行為者の手から離れているので不正行為を行える状態ではない。
【００８５】
このように、本実施形態によれば、発射球供給装置４２の発射球供給孔４４Ｇに切込部５４を備えた不正防止部材５０が取り付けられ、操作線付き遊技球Ｂ１が発射された場合には、切込部５４における１対の斜面５５Ｂ１，５６Ｂ１のエッジ部５５Ｅ，５６Ｅで操作線付き遊技球Ｂ１の操作線Ｌ１を切断可能又は捕捉可能に構成されている。これにより、操作線付き遊技球Ｂ１によって不正に利益を獲得するという不正行為を抑制することができる。
【００８６】
また、コーナー張出部５３の内面と切込部５４における１対の斜面５５Ｂ１，５６Ｂ１との交差部分に湾曲導入面５３Ａ，５３Ａを形成したことで、操作線Ｌ１をスムーズに切込部５４内に導入することができる。
【００８７】
また、複数（本実施形態では１対）の切込部材５５，５６を重ねて、それら複数の切込部材５５，５６の各エッジ部５５Ｅ，５６Ｅを略Ｖ字形に配置することで切込部５４を形成したから、比較的開き角度の小さい切込部５４を容易に形成することができる。
【００８８】
また、コーナー張出部５３を設けたことで、正規の遊技球より大きい不正球の通過を規制することができ、不正球を入賞口１４，１５，２０や始動ゲート１８に詰まらせて賞球や当否判定の権利を獲得するという不正行為を抑制することが可能になる。
【００８９】
［第２実施形態］
本発明の第２実施形態を図２２〜図２４に基づいて説明する。この第２施形態は、発射球供給装置及び不正防止部材を上記第１実施形態とは異なる構成としたものである。その他の構成については上記第１実施形態と同じであるため、同じ構成については、同一符号を付し、重複する説明は省略する。
【００９０】
図２２に示す発射球供給装置２４２のケース２４４は、同図（Ａ）に示すように前面側が開放しており、その開口面を上皿２７の奥壁に貫通形成された図示しない球入口に宛がって取り付けられている。ケース２４４の内部には、球入口から下方に向かってクランク状に屈曲した発射球供給孔２４４Ｈが形成されている。発射球供給孔２４４Ｈの終端開口２４４Ｇは、ケース２４４における発射装置（図示せず）との対向壁２４４Ａに貫通形成されており、その終端開口２４４Ｇが発射装置（発射レール）に対して側方から臨んでいる。
【００９１】
ケース２４４の内部には、水平な回動軸２４６Ｊを中心として上下に揺動する球送りレバー２４６が備えられている。図２３に示すように、球送りレバー２４６は、遊技球を丁度１つ受け入れ可能な球受容部２４６Ｃと、球受容部２４６Ｃの下方に形成された傾斜台２４６Ａと、球受容部２４６Ｃの上方に形成された球当接壁２４６Ｆとを備えている。また、球送りレバー２４６の上面には、金属製の吸着部材２４６Ｍが備えられている。
【００９２】
球送りレバー２４６は自重によって下方に付勢されている（図２２に示す状態）。ケース２４４のうち球送りレバー２４６の上方にはソレノイド２４６Ｓ（図２２（Ｂ）参照）が備えられており、そのソレノイド２４６Ｓが励磁されると吸着部材２４６Ｍが吸引されて球送りレバー２４６が自重に抗して上方に回動する。そして、球送りレバー２４６が上下に一度回動する度に、遊技球が１つ終端開口２４４Ｇを通過して発射レール上に供給されるようになっている。
【００９３】
即ち、ソレノイド２４６Ｓの励磁により球送りレバー２４６が上方に回動すると、球当接壁２４６Ｆに当接していた遊技球が、球受容部２４６Ｃに受け入れられる。このとき、傾斜台２４６Ａが終端開口２４４Ｇを狭めているので、球受容部２４６Ｃから終端開口２４４Ｇへと遊技球が流出することはない。次いで、ソレノイド２４６Ｓの消磁により球送りレバー２４６が下方に回動すると、後続の遊技球が球当接壁２４６Ｆによって堰き止められる（図２２（Ａ）参照）と共に、球受容部２４６Ｃ内の遊技球が、傾斜台２４６Ａの案内により終端開口２４４Ｇを通って発射レール上に流出する（図２２（Ｂ）参照）。なお、上記第１実施形態と同様に、球送りレバー２４６の動作は発射装置の打撃槌の打撃動作と連動しており、打撃槌が１回往復回動して遊技球を弾き出す間に、発射球供給装置２４２は発射レール４０上に１個の遊技球を供給する。
【００９４】
ところで、発射球供給孔２４４Ｈの終端開口２４４Ｇには、上記第１実施形態と同様な原理で操作線付き遊技球の操作線Ｌ１を切断又は捕捉することが可能な切込部５４を備えた不正防止部材２５０が取り付けられている。図２２（Ｂ）に示すように、不正防止部材２５０は、ケース２４４における発射装置（発射レール）との対向壁２４４Ａに宛がわれて、例えば両面テープによって固定されている。なお、本実施形態の不正防止部材２５０は例えば、板金で構成されている。
【００９５】
また、図２４に示すように、不正防止部材２５０は、予め所定の形状に成形された第１の切込部材２５５と第２の切込部材２５６とを重ねることで形成されている。ここで、本実施形態の不正防止部材２５０は、ケース２４４に対する固定部の構成が上記第１実施形態の不正防止部材５０と異なっているが、操作線Ｌ１を切断又は捕捉する切込部５４の構成や配置については上記第１実施形態の不正防止部材５０と略同一である。本実施形態の構成によっても、上記第１実施形態と同等の効果を奏する。
【００９６】
［第３実施形態］
以下、本発明の第３実施形態を図２５〜図２８に基づいて説明する。この第３実施形態は、発射球供給装置及び不正防止部材を上記第１実施形態とは異なる構成としたものである。上記第１実施形態と同じ構成については、同一符号を付し、重複する説明は省略する。
【００９７】
本実施形態の発射球供給装置３４２は、図２５に示すケース３４４の内部に球送りレバー３４６、ソレノイド（図示せず）、発射球供給孔３４４Ｈ等を備えている。
【００９８】
図２６に示すように、ケース３４４は、ケース本体３４４Ｂとケース蓋体３４４Ｃとから構成されており、ケース本体３４４Ｂの前面開口がケース蓋体３４４Ｃによって閉塞されている。
【００９９】
ケース本体３４４Ｂのうち、ケース蓋体３４４Ｃと前後方向で対向した対向壁３４４Ａの下寄り位置には、発射球供給孔３４４Ｈの終端開口３４４Ｇが形成されている。
【０１００】
発射球供給孔３４４Ｈは、終端開口３４４Ｇから上方に向かって形成され、その上端部には、ケース蓋体４４Ｃを貫通して上皿２７と連絡した矩形状の始端開口３４３Ａが設けられている。この始端開口３４３Ａを通って上皿２７に貯留された遊技球がケース３４４内に自重で流入するようになっている。
【０１０１】
球送りレバー３４６は発射球供給孔３４４Ｈ内に設けられている。図２６に示すように、球送りレバー３４６は水平な回動軸３４６Ｊを有し、ケース３４４に回動可能に軸支されている。球送りレバー３４６の外面には遊技球を１つ受け入れ可能な球受容部３４６Ｃが陥没形成され、上端部には球当接壁３４６Ｆが形成されている。また、球送りレバー３４６の側面からは金属製の吸着板３４６Ｍが張り出している。
【０１０２】
球送りレバー３４６は自重によって下方に付勢されている。吸着板３４６Ｍがその上方に配置されたソレノイド（図示せず）によって吸引されると、球送りレバー３４６が自重に抗して上方に回動する。そして、球送りレバー３４６が上下に一度回動して戻る度に遊技球が１つ終端開口３４４Ｇを通って発射装置（図示せず）に供給されるようになっている。
【０１０３】
詳細には、ソレノイドの励磁によって球送りレバー３４６が上方に回動すると、発射球供給孔３４４Ｈ内で球当接壁３４６Ｆに当接していた遊技球が流下して球受容部３４６Ｃに受け止められる。このとき、球送りレバー３４６が終端開口３４４Ｇを狭めているので、球受容部３４６Ｃから終端開口３４４Ｇへと遊技球が流出することはない。
【０１０４】
次いで、ソレノイドの消磁によって球送りレバー３４６が下方に回動すると、球当接壁３４６Ｆによって後続の遊技球が堰き止められると共に、球受容部３４６Ｃに受容された遊技球が、終端開口３４４Ｇから発射装置（図示せず）へと排出される。なお、上記第１実施形態と同様に、球送りレバー３４６の動作は発射装置の打撃槌の打撃動作と連動しており、打撃槌が１回往復回動して遊技球を弾き出す間に、発射球供給装置３４２は発射レール上に１個の遊技球を供給する。
【０１０５】
さて、発射球供給孔３４４Ｈのうち始端開口３４３Ａの縁部には、操作線付き遊技球の操作線Ｌ１を切断又は捕捉することが可能な切込部３５４を有した不正防止部材３５０が取り付けられている。なお、本実施形態の不正防止部材３５０は例えば、板金で構成されている。
【０１０６】
図２７に示すように、不正防止部材３５０は、第１の切込部材３５５と第２の切込部材３５６とを重ねて構成され、第１の切込部材３５５の取付面３５５Ｔをケース蓋体３４４Ｃの前面に重ねて、例えば、両面テープにより固定されている。
【０１０７】
第１の切込部材３５５は縦長の略矩形状をなしており、その上寄り位置には、正規の遊技球の通過を許容し、正規の遊技球より大きな遊技球の通過を規制する検査孔３５５Ｈが貫通形成されている。検査孔３５５Ｈは、遊技球より若干大きい円形孔の内縁部の複数箇所を部分的に内側に突出させた形状となっており、始端開口３４３Ａと重ねて配置されている。ここで、第１の切込部材３５５は、本発明の「検査孔付きの切込部材」に相当する。
【０１０８】
第２の切込部材３５６は、第１の切込部材３５５の取付面３５５Ｔに重ねて取り付けられている。第２の切込部材３５６には、検査孔３５５Ｈと同一径の円弧を一部に有した湾部３５６Ｈが形成され、この湾部３５６Ｈと検査孔３５５Ｈとが重ねて配置されている。第２の切込部材３５６は、本発明の「別の切込部材」に相当する。
【０１０９】
ところで、第１の切込部材３５５における検査孔３５５Ｈの内縁部と、第２の切込部材３５６における湾部３５６Ｈの内縁部とには、それぞれ切れ込み３５５Ａ，３５６Ａが形成されている。切れ込み３５５Ａ，３５６Ａは、検査孔３５５Ｈ及び湾部３５６Ｈの各内面を扁平な「コ」の字形に陥没させた形状となっている。第１と第２の切込部材３５５，３５６を重ねた状態で、これら切れ込み３５５Ａ，３５６Ａは上下にずれて重ねられ、それら切れ込み３５５Ａ，３５６Ａの重なった部分で、切込部３５４が形成されている。詳細には、図２８に示すように、第１の切込部材３５５に形成された切れ込み３５５Ａにおける一方の内側面３５５Ａ１と、第２の切込部材３５６に形成された切れ込み３５６Ａにおける一方の内側面３５６Ａ１とがＶ字形に配置されて、それらのエッジ部３５５Ｅ，３５６Ｅにて操作線Ｌ１を挟んで捕捉又は切断することが可能となっている。
【０１１０】
切込部３５４を形成する１対の内側面３５５Ａ１，３５６Ａ１のうち、内側面３５５Ａ１と検査孔３５５Ｈの内側面との交差部分には、湾曲導入面５３Ａが形成されている。同様に、内側面３５６Ａ１と湾部３５６Ｈの内側面との交差部分にも、湾曲導入面５３Ａが形成されている。これら湾曲導入面５３Ａ，５３Ａを設けたことで、始端開口３４３Ａに通された操作線Ｌ１がスムーズに切込部３５４に進入する。本実施形態の構成によっても、上記第１実施形態と同等の効果を奏する。
【０１１１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１１２】
（１）上記第１〜第３実施形態では、遊技機の一例としてパチンコ遊技機を例示したが、本発明はこれに限られず、アレンジボールやスマートボール等、遊技球を使用する他の遊技機に適用してもよい。
【０１１３】
（２）上記第１〜第３実施形態では、切込部は、板金を用いて形成していたが、操作線付き遊技球の操作線を切断可能或いは捕捉可能であれば、板金に限らずどのような材質を用いてもよい。
【０１１４】
（３）上記第１〜第３実施形態では、切込部を発射球供給孔の開口縁に設けていたが、発射球供給孔の内面に設けてもよい。
【０１１５】
（４）操作線付き遊技球の操作線を切断可能或いは捕捉可能な刃部（エッジ部）を切込部の全体に備えていなくてもよく、切込部の奥部だけに刃部を備えていてもよい。
【０１１６】
（５）切込部は、遊技球の発射方向の前方に配置されていて、操作線付き遊技球から延びた操作線を受け入れかつ、その操作線を切断可能又は捕捉可能な構成であれば、上記第１〜第３実施形態以外の構成でもよい。
【０１１７】
［参考形態］
なお、本発明の技術的範囲には属さないが、図２９〜図３４に示す参考形態のようにすることもできる。この参考形態は、発射球供給装置及び切込部を上記第１実施形態とは異なる構成としたものである。その他の構成については上記第１実施形態と同じであるため、同じ構成については、同一符号を付し、重複する説明は省略する。
【０１１８】
本実施形態の発射球供給装置４４２は、図２９に示すケース４４４内に球送りレバー４４６、ソレノイド（図示せず）、発射球供給孔４４４Ｈ等を備えている。
【０１１９】
図３０及び図３１に示すように、ケース４４４は、ケース本体４４４Ｂとケース蓋体４４４Ｃとから構成されており、ケース本体４４４Ｂの後面開口がケース蓋体４４４Ｃによって閉塞されている。
【０１２０】
図２９（Ｂ）に示すように、ケース４４４のうち、図示しない発射装置と対向した対向面の下端寄り位置には、発射球供給孔４４４Ｈの終端開口４４４Ｇが形成されている。
【０１２１】
発射球供給孔４４４Ｈは、終端開口４４４Ｇから上方に向かってクランク状に屈曲して形成され、その上端部には、ケース本体４４４Ｂを貫通して上皿２７と連絡した矩形状の始端開口４４３Ａが設けられている。この始端開口４４３Ａを通って上皿２７に貯留された遊技球がケース４４４内に自重で流入するようになっている。
【０１２２】
球送りレバー４４６は、水平な回動軸４４６Ｊ（図３０参照）によってケース４４４に回動可能に軸支されている。球送りレバー４４６は、回動軸４４６Ｊから水平方向に延びて先端部が下方に直角に折れ曲がったＬ字形状をなしている。球送りレバー４４６の下端部からは側方に傾斜板４４６Ａが張り出しており、その傾斜板４４６Ａの上方には球当接壁４４６Ｆが突出形成され、傾斜板４４６Ａと球当接壁４４６Ｆの間には、遊技球を丁度１つ受容可能な球受容部４４６Ｃが形成されている。さらに、球送りレバー４４６の上面には金属製の吸着板４４４Ｍが備えられている。
【０１２３】
球送りレバー４４６は自重によって下方に付勢されている。吸着板４４６Ｍがその上方に配置されたソレノイド（図示せず）によって吸引されると、球送りレバー４４６が自重に抗して上方に回動する。そして、球送りレバー４４６が上下に一度回動する度に、遊技球が１つ終端開口４４４Ｇを通過して発射レール上に供給されるようになっている。なお本実施形態における終端開口４４４Ｇは、本発明の「排出口」に相当する。
【０１２４】
即ち、ソレノイドの励磁により球送りレバー４４６が上方に回動すると、発射球供給孔４４４Ｈ内で球当接壁４４６Ｆに当接していた遊技球が球受容部４４６Ｃに受け入れられる。このとき、傾斜板４４６Ａが終端開口４４４Ｇを狭めているので、球受容部４４６Ｃから終端開口４４４Ｇへと遊技球が流出することはない。次いで、ソレノイドの消磁により球送りレバー４４６が下方に回動すると、球当接壁４４６Ｆが後続の遊技球を堰き止めると共に、球受容部４４６Ｃに受容されていた遊技球が、傾斜板４４６Ａの案内により終端開口４４４Ｇを通って発射レール上に流出する。なお、上記第１実施形態と同様に、球送りレバー４４６の動作は発射装置の打撃槌の打撃動作と連動しており、打撃槌が１回往復回動して遊技球を弾き出す間に、発射球供給装置４４２は発射レール上に１個の遊技球を供給する。
【０１２５】
さて、図２９（Ｂ）に示すように、ケース４４４における図示しない発射装置との対向面には、操作線付き遊技球の操作線Ｌ１を切断又は捕捉することが可能な切込部４５４を有した不正防止部材４５０が取り付けられている。詳細には、ケース４４４における発射装置との対向面には、終端開口４４４Ｇの右上角部に連絡した鉤形の隙間部４４４Ｋ（図２９（Ｂ）及び図３４参照）が形成されており、その隙間部４４４Ｋに切込部４５４が重なるように不正防止部材４５０が配置されている。なお、本実施形態の不正防止部材４５０は例えば、板金で構成されている。
【０１２６】
図３２に示すように、不正防止部材４５０は、大小２つの切込部材４５５，４５６を重ねて構成されている。図３３及び図３４に示すように、小さい方の切込部材４５５（以下、「小切込部材４５５」という）は、終端開口４４４Ｇの開口面と略平行にされて、終端開口４４４Ｇの側方に配置されている。
【０１２７】
大きい方の切込部材４５６（以下、「大切込部材４５６」という）は、終端開口４４４Ｇの開口面と略平行な取付板４５６Ａと、取付板４５６Ａから延設された帯状板４５６Ｂとから構成されている。取付板４５６Ａは略Ｌ字形をなしており、その裏面４５６Ａが、例えば両面テープによってケース４４２に固定されている。帯状板４５６Ｂは、取付板４５６Ａ（終端開口４４４Ｇの開口面）に対して直角となっており、帯状板４５６Ｂと取付板４５６Ａとの間には楔形のスリット４５６Ｓが形成されている。また、帯状板４５６Ｂの先端部はクランク状に屈曲して延長導入片４５６Ｃとなっており、その延長導入片４５６Ｃが、発射球供給孔４４４Ｈの終端開口４４４Ｇ寄りの内部上面に宛がわれている。
【０１２８】
図３３に示すように、不正防止部材４５０は、小切込部材４５５の外縁部に大切込部材４５６における帯状板４５６Ｂの基端部を突き合わせて重ねられている。そして小切込部材４５５と帯状板４５６Ｂの基端部の各エッジ部４５５Ｅ，４５６Ｅが略Ｖ字形に配置されて、切込部４５４が形成されている。
【０１２９】
終端開口４４４Ｇを通って発射装置に供給された操作線付き遊技球が、発射装置によって発射されると、図３４に示すように、操作線Ｌ１が延長導入片４５６Ｃによって切込部４５４へと誘導され、さらに切込部４５４の奥に進入してエッジ部４５５Ｅ，４５６Ｅにより挟まれる。本実施形態によっても、上記第１実施形態と同等の効果を奏する。
【０１３０】
［上記実施形態及び参考形態の構成のまとめ］
上記実施形態及び参考形態には、以下［１］〜［９］の構成が含まれている。
【０１３１】
［１］発射球貯留部に貯留された遊技球を、発射装置にて遊技領域に発射して遊技を行う遊技機に組み付けられ、遊技球が１球ずつ通過可能な発射球供給孔を有し、前記発射球貯留部から取り込んだ遊技球を、前記発射装置が遊技球を発射する度に前記発射球供給孔を通して１つずつ発射装置に供給する発射球供給装置を備えた弾球遊技機であって、前記発射球供給孔の内面又は開口縁に、不正用の操作線付き遊技球の操作線が前記発射球供給孔に通された状態で、その操作線付き遊技球が前記発射装置にて発射された場合に、前記操作線が奥部に向かって進入し、その操作線を切断可能又は、操作線に食い込んで捕捉可能或いは、前記操作線を切断可能及び捕捉可能にするための刃部を備えた略Ｖ字形の切込部を設けたことを特徴とする弾球遊技機。
【０１３２】
上記［１］の構成によれば、操作線付き遊技球が発射球供給孔を通って発射装置に供給され、発射装置によって発射された場合に、操作線を発射球供給孔の内面又は開口縁に設けた切込部に進入させて、その切込部における刃部にて操作線を切断したり捕捉したりすることができる。これにより、操作線付き遊技球によって不正に利益を獲得するという不正行為を抑制することができる。
【０１３３】
［２］複数の切込部材を重ねて備え、それら複数の切込部材のエッジ部を前記刃部として略Ｖ字形に配置し、前記切込部としたことを特徴とする［１］に記載の弾球遊技機。
【０１３４】
上記［２］の構成によれば、複数の切込部材のエッジ部を略Ｖ字形に配置することで切込部を形成することができ、比較的開き角度の小さい切込部を容易に形成することができる。
【０１３５】
［３］正規の遊技球の通過を許容し、正規の遊技球より大きな遊技球の通過を規制する検査孔を貫通形成して備えた切込部材が、前記検査孔と前記発射球供給孔とを重ねた状態にして取り付けられ、前記検査孔付きの切込部材に別の切込部材を重ねると共に、前記検査孔付きの切込部材における前記検査孔の内縁部に切れ込みを形成し、その切れ込みのエッジ部と前記別の切込部材のエッジ部とを前記刃部として略Ｖ字形に配置して前記切込部を構成したことを特徴とする［１］に記載の弾球遊技機。
【０１３６】
上記［３］の構成によれば、操作線付き遊技球による不正行為を抑制すると共に、正規の遊技球より大きい遊技球の通過を規制することができる。これにより、不正に大きい遊技球を入賞部に詰まらせて不正に利益を獲得するといった不正行為を抑制することができる。
【０１３７】
［４］前記エッジ部を備えた前記複数の切込部材には、前記発射球供給孔の内面を構成する孔構成面が前記切込部の両側に形成され、それら孔構成面と前記切込部の内面との交差部分に湾曲した湾曲導入面を設けたことを特徴とする［２］又は［３］に記載の弾球遊技機。
【０１３８】
上記［４］の構成によれば、操作線を切込部にスムーズに進入させることができる。
【０１３９】
［５］第１の切込部材の外縁部に第２の切込部材を突き合わせて、それら第１と第２の切込部材のエッジ部を前記刃部として略Ｖ字形に配置し、前記切込部としたことを特徴とする［１］に記載の弾球遊技機。
【０１４０】
上記［５］の構成によれば、第１の切込部材の外縁部に第２の切込部材を突き合わせて、それら第１と第２の切込部材のエッジ部を略Ｖ字形に配置することで切込部を形成することができ、比較的開き角度の小さい切込部を容易に形成することができる。
【０１４１】
［６］前記第１の切込部材は、前記発射球供給孔の排出口の開口面と略平行にされて、前記発射球供給孔の排出口の側方に配置され、前記第２の切込部材から延設されて、前記発射球供給孔の内部まで延び、前記操作線を前記切込部に導入する延長導入片を備えたことを特徴とする［５］に記載の弾球遊技機。
【０１４２】
上記［６］の構成によれば、延長導入片を備えたことで切込部に確実に操作線を進入させることができる。
【０１４３】
［７］前記発射球貯留部から前記弾球遊技機の前記発射球供給孔に至る遊技球の移動方向と、前記発射装置による遊技球の発射方向とが逆向きになるように前記発射球供給装置を配置したことを特徴とする［１］乃至［６］の何れか１の請求項に記載の弾球遊技機。
【０１４４】
上記［７］の構成によれば、操作線付き遊技球が発射された場合に、操作線が切込部を備えた発射球供給孔の前後で折り返されるから、操作線に対して切込部の刃部をより深く食い込ませることができる。
【０１４５】
［８］前記発射装置は、遊技球を打ち出すための打撃槌と前記打撃槌から上方に向かって延びた発射レールとを有し、遊技球は前記発射レールに沿ってその下端部から上方に向けて発射され、前記切込部は前記発射レールの下端位置と上端位置との中間に配置されたことを特徴とする［１］乃至［７］の何れか１の請求項に記載の弾球遊技機。
【０１４６】
上記［８］の構成によれば、操作線付き遊技球が発射レールに沿って移動する途中で、操作線を切込部に進入させることができる。
【０１４７】
［９］前記切込部は、遊技球の発射方向の前方に向かうに従って徐々に幅狭になるように略Ｖ字形に形成されていることを特徴とする［１］乃至［８］の何れか１の請求項に記載の弾球遊技機。
【０１４８】
上記［９］の構成によれば、操作線を確実に切込部の奥まで進入させることができる。
【符号の説明】
【０１４９】
１０    弾球遊技機
２７    上皿（発射球貯留部）
４０    発射レール
４２，２４２，３４２    発射球供給装置
４４Ｇ，２４４Ｈ，３４４Ｈ    発射球供給孔
５０，２５０，３５０    不正防止部材
５３Ａ，５３Ａ    湾曲導入面
５４，３５４    切込部
５５，２５５，３５５    第１の切込部材
５６，２５６，３５６    第２の切込部材
５５Ｅ，５６Ｅ    エッジ部（刃部）
６１    発射装置
６７    打撃槌
３５５Ｅ，３５６Ｅ    エッジ部（刃部）
３５５Ｈ    検査孔
Ｌ１    操作線
【図１】
0005285728.tif 000002
【図２】
0005285728.tif 000003
【図３】
0005285728.tif 000004
【図４】
0005285728.tif 000005
【図５】
0005285728.tif 000006
【図６】
0005285728.tif 000007
【図７】
0005285728.tif 000008
【図８】
0005285728.tif 000009
【図９】
0005285728.tif 000010
【図１０】
0005285728.tif 000011
【図１１】
0005285728.tif 000012
【図１２】
0005285728.tif 000013
【図１３】
0005285728.tif 000014
【図１４】
0005285728.tif 000015
【図１５】
0005285728.tif 000016
【図１６】
0005285728.tif 000017
【図１７】
0005285728.tif 000018
【図１８】
0005285728.tif 000019
【図１９】
0005285728.tif 000020
【図２０】
0005285728.tif 000021
【図２１】
0005285728.tif 000022
【図２２】
0005285728.tif 000023
【図２３】
0005285728.tif 000024
【図２４】
0005285728.tif 000025
【図２５】
0005285728.tif 000026
【図２６】
0005285728.tif 000027
【図２７】
0005285728.tif 000028
【図２８】
0005285728.tif 000029
【図２９】
0005285728.tif 000030
【図３０】
0005285728.tif 000031
【図３１】
0005285728.tif 000032
【図３２】
0005285728.tif 000033
【図３３】
0005285728.tif 000034
【図３４】
0005285728.tif 000035